(57)【要約】【課題】ユーザ装置が間欠受信状態にある場合において、適切な周期でＣＳＩ／ＳＲＳ等の制御信号の送信を行う。【解決手段】基地局から送信される信号を間欠的に受信するための間欠受信制御を行うユーザ装置において、前記基地局から、所定の間欠受信周期での間欠受信時における制御信号の送信周期を指定する情報を受信する受信部と、前記所定の間欠受信周期での間欠受信時に、前記送信周期を指定する情報に基づいて、前記間欠受信周期よりも長い周期で、前記制御信号を間欠受信におけるアクティブ期間に送信する送信制御部とを備えて構成する。【選択図】図５
2015122578.tif 000002
【特許請求の範囲】
【請求項１】
基地局から送信される信号を間欠的に受信するための間欠受信制御を行うユーザ装置であって、
前記基地局から、所定の間欠受信周期での間欠受信時における制御信号の送信周期を指定する情報を受信する受信部と、
前記所定の間欠受信周期での間欠受信時に、前記送信周期を指定する情報に基づいて、前記間欠受信周期よりも長い周期で、前記制御信号を間欠受信におけるアクティブ期間に送信する送信制御部と
を備えることを特徴とするユーザ装置。
【請求項２】
前記送信周期を指定する情報は、前記間欠受信時における前記制御信号の送信周期を、前記間欠受信時ではない期間における前記制御信号の送信周期の何倍にするかを示す情報である
ことを特徴とする請求項１に記載のユーザ装置。
【請求項３】
前記受信部は、前記送信周期を指定する情報に基づく送信周期にて前記制御信号の送信を開始するタイミングを示す情報を受信し、
前記送信制御部は、当該タイミングを示す情報に基づいて、前記間欠受信時に前記制御信号の送信を開始する
ことを特徴とする請求項１又は２に記載のユーザ装置。
【請求項４】
基地局から送信される信号を間欠的に受信するための間欠受信制御を行うユーザ装置であって、
前記基地局から、所定の間欠受信周期での間欠受信時における制御信号の送信可能期間を示す送信可能期間情報と、前記間欠受信時における前記制御信号の送信不可期間を示す送信不可期間情報を受信する受信部と、
前記送信期間情報及び前記送信不可期間情報に基づいて、前記所定の間欠受信周期での間欠受信時に、前記送信可能期間を開始させ、当該送信可能期間中のアクティブ期間に前記制御信号を送信し、前記送信可能期間終了後に開始させる前記送信不可期間において、アクティブ期間であっても前記制御信号を送信しないようにする制御を繰り返し行う送信制御部と
を備えることを特徴とするユーザ装置。
【請求項５】
前記制御信号は、チャネル状態情報又はサウンディングリファレンスシンボルであることを特徴とする請求項１ないし４のうちいずれか１項に記載のユーザ装置。
【請求項６】
前記所定の間欠受信周期は、ＬＴＥにおけるＳｈｏｒｔ−ＤＲＸの間欠受信周期であることを特徴とする請求項１ないし５のうちいずれか１項に記載のユーザ装置。
【請求項７】
基地局から送信される信号を間欠的に受信するための間欠受信制御を行うユーザ装置が実行する信号送信制御方法であって、
前記基地局から、所定の間欠受信周期での間欠受信時における制御信号の送信周期を指定する情報を受信する受信ステップと、
前記所定の間欠受信周期での間欠受信時に、前記送信周期を指定する情報に基づいて、前記間欠受信周期よりも長い周期で、前記制御信号を間欠受信におけるアクティブ期間に送信する送信制御ステップと
を備えることを特徴とする信号送信制御方法。
【請求項８】
基地局から送信される信号を間欠的に受信するための間欠受信制御を行うユーザ装置が実行する信号送信制御方法であって、
前記基地局から、所定の間欠受信周期での間欠受信時における制御信号の送信可能期間を示す送信可能期間情報と、前記間欠受信時における前記制御信号の送信不可期間を示す送信不可期間情報を受信する受信ステップと、
前記送信期間情報及び前記送信不可期間情報に基づいて、前記所定の間欠受信周期での間欠受信時に、前記送信可能期間を開始させ、当該送信可能期間中のアクティブ期間に前記制御信号を送信し、前記送信可能期間終了後に開始させる前記送信不可期間において、アクティブ期間であっても前記制御信号を送信しないようにする制御を繰り返し行う送信制御ステップと
を備えることを特徴とする信号送信制御方法。
【発明の詳細な説明】
【技術分野】
【０００１】
本発明は、間欠受信（ＤＲＸ：Ｄｉｓｃｏｎｔｉｎｕｏｕｓ  Ｒｅｃｅｐｔｉｏｎ）制御を行う移動通信システムに関するものであり、特に、ＤＲＸ状態のユーザ装置ＵＥが信号送信を行うための技術に関連するものである。
【背景技術】
【０００２】
ＬＴＥ／ＬＴＥ−ａｄｖａｎｃｅｄ（以下、まとめてＬＴＥと記載する）に準拠した通信システムでは、ユーザ装置ＵＥのバッテリーセービングを目的にＤＲＸ制御が採用されている（非特許文献１参照）。
【０００３】
ＤＲＸ制御では、ＲＲＣ接続したユーザ装置ＵＥ（ＲＲＣ  ｃｏｎｎｅｃｔｅｄ  ＵＥ）をＡｃｔｉｖｅ状態、Ｉｎａｃｔｉｖｅ状態という２つの状態にて管理している。
【０００４】
Ａｃｔｉｖｅ状態では、ユーザ装置ＵＥは、ＤＬ制御チャネル（ＰＤＣＣＨ）を監視し、フィードバック情報（ＣＳＩ：Ｃｈａｎｎｅｌ  Ｓｔａｔｅ  Ｉｎｆｏｒｍａｔｉｏｎ）やＳＲＳ（Ｓｏｕｎｄｉｎｇ  ｒｅｆｅｒｅｎｃｅ  ｓｙｍｂｏｌ）を基地局ｅＮＢに報告する。
【０００５】
一方、Ｉｎａｃｔｉｖｅ状態では、ユーザ装置ＵＥは、ＤＬ制御チャネル（ＰＤＣＣＨ）を監視せず、フィードバック情報等も報告しない。このような制御によりバッテリーセービングを実現している。
【０００６】
ＤＲＸ制御では、例えば図１、図２に示すようにＡｃｔｉｖｅ状態とＩｎａｃｔｉｖｅ状態間の遷移が行われる。
【０００７】
図１は、ＤＲＸ  Ｉｎａｃｔｉｖｉｔｙ  Ｔｉｍｅｒによる遷移の例を示す図である。ＤＲＸ  Ｉｎａｃｔｉｖｉｔｙ  Ｔｉｍｅｒは、データがある（或いは、割当てがある）ことを示すＰＤＣＣＨを受信した後に起動し、その後にＰＤＣＣＨを受信せずにＤＲＸ  Ｉｎａｃｔｉｖｉｔｙ  Ｔｉｍｅｒが満了した場合に、ＤＲＸ状態に遷移する。図１の例では、最後のＰＤＣＣＨを受信した後にＤＲＸ  Ｉｎａｃｔｉｖｉｔｙ  Ｔｉｍｅｒが満了し、ＤＲＸ状態となり、ＤＲＸ周期（ＤＲＸ  ｃｙｃｌｅ）で、Ａｃｔｉｖｅ状態とＩｎａｃｔｉｖｅ状態を繰り返す。また、各ＤＲＸ周期においてｏｎ  ｄｕｒａｔｉｏｎ  ｔｉｍｅｒで規定されたＡｃｔｉｖｅ期間をｏｎ  ｄｕｒａｔｉｏｎと呼ぶ。
【０００８】
図２は、ＤＲＸ  ｃｏｍｍａｎｄ  ＭＡＣ  ｃｏｎｔｒｏｌ  Ｅｌｅｍｅｎｔ（ＤＲＸ  ＭＡＣ  ＣＥ）による遷移の例を示す図である。図２に示すとおり、ＤＲＸ  ＭＡＣ  ＣＥは、ＤＲＸ  Ｉｎａｃｔｉｖｉｔｙ  Ｔｉｍｅｒの満了前であっても、強制的にＤＲＸ  Ｉｎａｃｔｉｖｉｔｙ  Ｔｉｍｅｒを停止させ、ユーザ装置ＵＥをＤＲＸ状態に遷移させるものである。
【先行技術文献】
【非特許文献】
【０００９】
【非特許文献１】３ＧＰＰ  ＴＳ  ３６．３２１  Ｖ１１．３．０  （２０１３−０６）、５．７  Ｄｉｓｃｏｎｔｉｎｕｏｕｓ  Ｒｅｃｅｐｔｉｏｎ  （ＤＲＸ）
【発明の概要】
【発明が解決しようとする課題】
【００１０】
前述したように、Ａｃｔｉｖｅ状態では、ユーザ装置ＵＥは、ＤＬ制御チャネル（ＰＤＣＣＨ）を監視するとともに、フィードバック情報（ＣＳＩ：Ｃｈａｎｎｅｌ  Ｓｔａｔｅ  Ｉｎｆｏｒｍａｔｉｏｎ）やＳＲＳ（Ｓｏｕｎｄｉｎｇ  ｒｅｆｅｒｅｎｃｅ  ｓｙｍｂｏｌ）を基地局ｅＮＢに報告する。
【００１１】
上記のＣＳＩは、ユーザ装置ＵＥのチャネル状態情報であり、基地局ｅＮＢは、ユーザ装置ＵＥからフィードバックされるＣＳＩに基づいてスケジューリング（ＡＭＣ）等を行う。具体的に定義されているＣＳＩとしては、ユーザ装置ＵＥのＤＬ品質を示すＣＱＩ、ユーザ装置ＵＥの最適なＭＩＭＯランクを示すＲＩ、ユーザ装置ＵＥの最適なＭＩＭＯのｐｒｅ−ｃｏｄｉｎｇ  ｍａｔｒｉｘを示すＰＭＩ等がある。
【００１２】
上記のＳＲＳは、ＵＬ品質を基地局ｅＮＢで測定するために通知される信号であり、ユーザ装置ＵＥは、例えば周期的に訪れるタイミングでＳＲＳ送信を行う。なお、以下では、ＣＳＩ又はＳＲＳをＣＳＩ／ＳＲＳと記述する。
【００１３】
通常、ＤＲＸ状態のユーザ装置ＵＥをスケジューリングする場合、ＣＳＩとＳＲＳのいずれの場合も、その送信周期は、ＤＲＸ周期(及び、ｏｎ  ｄｕｒａｔｉｏｎの到来タイミング）に併せて設定され、ＣＳＩ／ＳＲＳは、ＤＲＸのｏｎ  ｄｕｒａｔｉｏｎ時に毎回送信される。
【００１４】
さて、ＤＲＸとして、周期の短いＳｈｏｒｔ−ＤＲＸと周期の長いＬｏｎｇ−ＤＲＸが規定されており、Ｓｈｏｒｔ−ＤＲＸの設定がされているユーザ装置ＵＥは、最初にＳｈｏｒｔ−ＤＲＸの状態となり、その後にＬｏｎｇ−ＤＲＸの状態となる。
【００１５】
しかし、図３に示すように、Ｓｈｏｒｔ−ＤＲＸにおいては、データが無いにも関わらず頻繁にＣＳＩ／ＳＲＳ送信が行われるため、ＤＲＸによるバッテリーセービング効果を得ることができないという問題がある。
【００１６】
ここで、ＣＳＩ／ＳＲＳ送信について、ＤＲＸ状態では長い周期、ｎｏｎ−ＤＲＸ状態では短い周期とすることがバッテリーセービングの観点から望ましいが、このような制御を実現するには、ＲＲＣメッセージでＣＳＩ／ＳＲＳ送信の周期を逐一変更する必要がある。しかし、周期を変更するＲＲＣメッセージ自体がユーザ装置ＵＥをｎｏｎ−ＤＲＸ状態に遷移させてしまうため、このような制御は難しい。
【００１７】
一方、上記の代替案としてｎｏｎ−ＤＲＸ、ＤＲＸ状態に関わらず、ＣＳＩ／ＳＲＳ送信周期を長くする制御も考えられるが、データ送受信時において基地局ｅＮＢは、ユーザ装置ＵＥからの十分なフィードバックを得ることができず、適切なＡＭＣを推定することができずに、スループットの低下を招くため、ＣＳＩ／ＳＲＳ送信周期を長くすることは望ましくない。
【００１８】
本発明は、上記の点に鑑みてなされたものであり、ユーザ装置ＵＥが間欠受信状態にある場合において、適切な周期でＣＳＩ／ＳＲＳ等の制御信号の送信を行うことを可能とする技術を提供することを目的とする。
【課題を解決するための手段】
【００１９】
本発明の実施の形態によれば、基地局から送信される信号を間欠的に受信するための間欠受信制御を行うユーザ装置であって、
前記基地局から、所定の間欠受信周期での間欠受信時における制御信号の送信周期を指定する情報を受信する受信部と、
前記所定の間欠受信周期での間欠受信時に、前記送信周期を指定する情報に基づいて、前記間欠受信周期よりも長い周期で、前記制御信号を間欠受信におけるアクティブ期間に送信する送信制御部とを備えることを特徴とするユーザ装置が提供される。
【００２０】
また、本発明の実施の形態によれば、基地局から送信される信号を間欠的に受信するための間欠受信制御を行うユーザ装置であって、
前記基地局から、所定の間欠受信周期での間欠受信時における制御信号の送信可能期間を示す送信可能期間情報と、前記間欠受信時における前記制御信号の送信不可期間を示す送信不可期間情報を受信する受信部と、
前記送信期間情報及び前記送信不可期間情報に基づいて、前記所定の間欠受信周期での間欠受信時に、前記送信可能期間を開始させ、当該送信可能期間中のアクティブ期間に前記制御信号を送信し、前記送信可能期間終了後に開始させる前記送信不可期間において、アクティブ期間であっても前記制御信号を送信しないようにする制御を繰り返し行う送信制御部とを備えることを特徴とするユーザ装置が提供される。
【００２１】
また、本発明の実施の形態によれば、基地局から送信される信号を間欠的に受信するための間欠受信制御を行うユーザ装置が実行する信号送信制御方法であって、
前記基地局から、所定の間欠受信周期での間欠受信時における制御信号の送信周期を指定する情報を受信する受信ステップと、
前記所定の間欠受信周期での間欠受信時に、前記送信周期を指定する情報に基づいて、前記間欠受信周期よりも長い周期で、前記制御信号を間欠受信におけるアクティブ期間に送信する送信制御ステップとを備えることを特徴とする信号送信制御方法が提供される。
【００２２】
また、本発明の実施の形態によれば、基地局から送信される信号を間欠的に受信するための間欠受信制御を行うユーザ装置が実行する信号送信制御方法であって、
前記基地局から、所定の間欠受信周期での間欠受信時における制御信号の送信可能期間を示す送信可能期間情報と、前記間欠受信時における前記制御信号の送信不可期間を示す送信不可期間情報を受信する受信ステップと、
前記送信期間情報及び前記送信不可期間情報に基づいて、前記所定の間欠受信周期での間欠受信時に、前記送信可能期間を開始させ、当該送信可能期間中のアクティブ期間に前記制御信号を送信し、前記送信可能期間終了後に開始させる前記送信不可期間において、アクティブ期間であっても前記制御信号を送信しないようにする制御を繰り返し行う送信制御ステップとを備えることを特徴とする信号送信制御方法が提供される。
【発明の効果】
【００２３】
本発明の実施の形態によれば、ユーザ装置ＵＥが間欠受信状態にある場合において、適切な周期でＣＳＩ／ＳＲＳ等の制御信号の送信を行うことを可能とする技術を提供することができる。
【図面の簡単な説明】
【００２４】
【図１】ＤＲＸ制御におけるＤＲＸ  Ｉｎａｃｔｉｖｉｔｙ  Ｔｉｍｅｒによる遷移の例を示す図である。
【図２】ＤＲＸ制御におけるＤＲＸ  ｃｏｍｍａｎｄ  ＭＡＣ  ｃｏｎｔｒｏｌ  Ｅｌｅｍｅｎｔ（ＤＲＸ  ＭＡＣ  ＣＥ）による遷移の例を示す図である。
【図３】従来技術における課題を説明するための図である。
【図４】本発明の実施の形態に係る通信システムの構成図である。
【図５】本発明の実施の形態に係る処理の概要を説明するための図である。
【図６】第１の実施の形態におけるＣＳＩ／ＳＲＳ送信動作例を示す図である。
【図７】第１の実施の形態におけるユーザ装置ＵＥの構成図である。
【図８】第１の実施の形態（第２の実施の形態）における基地局ｅＮＢの構成図である。
【図９】第１の実施の形態におけるユーザ装置ＵＥの動作を示すシーケンス図である。
【図１０】第２の実施の形態におけるＣＳＩ／ＳＲＳ送信動作例を示す図である。
【図１１】第２の実施の形態におけるユーザ装置ＵＥの構成図である。
【図１２】第２の実施の形態におけるユーザ装置ＵＥの動作を示すシーケンス図である。
【発明を実施するための形態】
【００２５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。また、本実施の形態では、ＤＲＸ状態におけるＣＳＩ／ＳＲＳ送信を対象としているが、本発明を適用できる信号は、ＣＳＩ／ＳＲＳに限られるわけではない。
【００２６】
本明細書及び特許請求の範囲において、「ＬＴＥ」は、３ＧＰＰのリリース８、又は９に対応する通信方式のみならず、３ＧＰＰのリリース１０、１１、又は１２もしくはそれ以降に対応する通信方式も含む広い意味で使用する。
【００２７】
（全体構成、処理概要）
図４に本発明の実施の形態（後述する第１、第２の実施の形態に共通）に係る通信システムの構成図を示す。本実施の形態に係る通信システムは、ＬＴＥ方式の通信システムであり、図４に示すように、ユーザ装置ＵＥ、及びセルを形成する基地局ｅＮＢを含む。
【００２８】
本発明の実施の形態では、ユーザ装置ＵＥがｄｒｘＳｈｏｒｔｃｙｃｌｅ−ｔｉｍｅｒを起動させて、Ｓｈｏｒｔ−ＤＲＸ状態にあるときに、特定のｏｎ  ｄｕｒａｔｉｏｎのみでＣＳＩ／ＳＲＳ送信を行うこととしている。
【００２９】
この処理の概要を図５を参照して説明する。図５に示すように、基地局ｅＮＢが最後のＰＤＣＣＨをユーザ装置ＵＥに送信した後（図５のＡの時点）、すなわち、ユーザ装置ＵＥの送受信データが終了した後、ｄｒｘ−ｉｎａｃｔｉｖｉｔｙＴｉｍｅｒを起動させ、それが満了することで（Ｂの時点）、ユーザ装置ＵＥは、Ｓｈｏｒｔ−ＤＲＸ状態を開始する。
【００３０】
従来は、Ｓｈｏｒｔ−ＤＲＸ状態において、ユーザ装置ＵＥは全てのｏｎ  ｄｕｒａｔｉｏｎでＣＳＩ／ＳＲＳ送信を行っていたが、本実施の形態では、特定のｏｎ  ｄｕｒａｔｉｏｎにおいてのみＣＳＩ／ＳＲＳ送信を行うこととしている。つまり、従来は、図５に×で示しているｏｎ  ｄｕｒａｔｉｏｎのタイミングでもＣＳＩ／ＳＲＳ送信を行っていたが、本実施の形態では、×で示しているｏｎ  ｄｕｒａｔｉｏｎのタイミングではＣＳＩ／ＳＲＳ送信を行わない制御を実施している。これにより、無駄なＣＳＩ／ＳＲＳ送信を削減でき、バッテリーセービングを実現できる。
【００３１】
このような制御を実現するための実施形態として、以下では、Ｓｈｏｒｔ−ＤＲＸ時に用いるＣＳＩ／ＳＲＳの送信周期を指定する方法（第１の実施の形態）、及びタイマ（又はカウンタ）を用いる方法（第２の実施の形態）について説明する。
【００３２】
（第１の実施の形態）
＜処理内容等＞
第１の実施の形態では、基地局ｅＮＢがユーザ装置ＵＥに対して、Ｓｈｏｒｔ−ＤＲＸ時（Ｓｈｏｒｔ−ＤＲＸ状態にある時）に用いるＣＳＩ／ＳＲＳの送信周期を指定し、ユーザ装置ＵＥは、Ｓｈｏｒｔ−ＤＲＸ時において、当該送信周期に従ってＣＳＩ／ＳＲＳの送信を行う。
【００３３】
基地局ｅＮＢは、Ｓｈｏｒｔ−ＤＲＸ時に用いるＣＳＩ／ＳＲＳの送信周期の値そのものをユーザ装置ＵＥに対して指定することとしてもよいし、基地局ｅＮＢは、Ｓｈｏｒｔ−ＤＲＸ時に用いるＣＳＩ／ＳＲＳの送信周期を、現状の送信周期の何倍とするかを指定することとしてもよい。現状の送信周期とは、既にＲＲＣシグナリング等によりユーザ装置ＵＥに通知されているものであり、ユーザ装置ＵＥは、ＤＲＸ状態にない場合、当該周期でＣＳＩ／ＳＲＳ送信を行っている。
【００３４】
上記のように、Ｓｈｏｒｔ−ＤＲＸ時に用いるＣＳＩ／ＳＲＳの送信周期として、現状の送信周期の何倍とするかを指定する場合、例えば、ユーザ装置ＵＥがｎｏｎ−ＤＲＸ時（ｄｒｘ−ＩｎａｃｔｉｖｉｔｙＴｉｍｅｒ起動中）に２０ｍｓの送信周期でＣＳＩ／ＳＲＳ送信を行っている状態で、基地局ｅＮＢが周期をＭｄｒｘｃｓｉ倍に指定する。この場合、ユーザ装置ＵＥは、Ｓｈｏｒｔ−ＤＲＸ時において、２０×Ｍｄｒｘｃｓｉ（ｍｓ）の周期でＣＳＩ／ＳＲＳ送信を行う。
【００３５】
また、基地局ｅＮＢは、Ｓｈｏｒｔ−ＤＲＸ時に使用される新しい周期をどのｏｎ  ｄｕｒａｔｉｏｎから適用するかを示すオフセット値（Ｏｆｆｓｅｔｄｒｘｃｓｉ）をユーザ装置ＵＥに通知し、ユーザ装置ＵＥが、当該オフセット値に従って、新しい周期の適用を開始する。
【００３６】
なお、オフセット値を使用する場合において、基地局ｅＮＢは、複数ユーザ装置ＵＥ間でオフセット値が異なるように（分散されるように）指定することが好ましい。すなわち、同一ｏｎ  ｄｕｒａｔｉｏｎで送信されるＵＬの数（同時にＣＳＩ／ＳＲＳを送信するユーザ装置ＵＥの数）が少ないほど、他セルへのＵＬ干渉が低減されるため、どのｏｎ  ｄｕｒａｔｉｏｎから新しい周期を適用させるかは、ユーザ装置ＵＥ間で分散されていることが望ましいのである。
【００３７】
上記のＭｄｒｘｃｓｉ、Ｏｆｆｓｅｔｄｒｘｃｓｉはいずれも、ＣＳＩとＳＲＳに共通に適用されてもよい。また、Ｍｄｒｘｃｓｉ、ＯｆｆｓｅｔｄｒｘｃｓｉはＣＳＩに適用し、Ｍｄｒｘｓｒｓ、ＯｆｆｓｅｔｄｒｘｓｒｓはＳＲＳに適用するといったように、ＣＳＩとＳＲＳに対し別々に値が設定されてもよい。
【００３８】
上記の周期、何倍かを示す値、及びオフセット値は、いずれも基地局ｅＮＢがユーザ装置ＵＥに対してＲＲＣシグナリング等により通知する。ただし、通知メッセージはＲＲＣシグナリングに限られるわけではなく、より動的に（ＭＡＣシグナリング、ＰＨＹ（物理）シグナリング等で）通知することとしてもよい。
【００３９】
また、Ｍｄｒｘｃｓｉ、Ｏｆｆｓｅｔｄｒｘｃｓｉ（Ｍｄｒｘｓｒｓ、Ｏｆｆｓｅｔｄｒｘｓｒｓも同様）のそれぞれについて予め複数のパターン（複数の値）を用意（設定）しておき、どのパターンを用いるのかを基地局ｅＮＢからユーザ装置ＵＥに対して動的に（ＭＡＣシグナリング、ＰＨＹ（物理）シグナリング等で）指定することとしてもよい。動的に指定するために、例えば、基地局ｅＮＢは、各ユーザ装置ＵＥの設定と状態を保持しておき、ユーザ装置ＵＥがＳｈｏｒｔ−ＤＲＸ状態に入ることを検知した場合に、どのパターンを使用するかを通知する。基地局ｅＮＢは、例えば、トラフィックが輻輳しているときには、大きな値の周期になるようなパターンをユーザ装置ＵＥに通知することができる。
【００４０】
図６に、第１の実施の形態におけるＣＳＩ／ＳＲＳ送信動作例を示す。図６は、２０ｍｓ周期で送信しているＣＳＩ／ＳＲＳを、Ｓｈｏｒｔ−ＤＲＸ時には６０ｍｓ（Ｍｄｒｘｃｓｉ＝３）で送信させる場合の例を示している。
【００４１】
図６において、ユーザ装置ＵＥに対応する時間軸上の丸印（○）は、ユーザ装置ＵＥに対してＲＲＣシグナリングで通知される周期に従ったＣＳＩ／ＳＲＳ送信タイミングを示している。ＤＲＸ状態にない場合には、このタイミングで毎回、ＣＳＩ／ＳＲＳ送信が行われることになる。また、四角で囲まれた丸印は、Ｓｈｏｒｔ−ＤＲＸ状態において、Ｍｄｒｘｃｓｉ、Ｏｆｆｓｅｔｄｒｘｃｓｉから算出されるＣＳＩ／ＳＲＳ送信を行うタイミングを示す。この例では、当該タイミングとｏｎ−ｄｕｒａｔｉｏｎが一致しているが、これらは一致していなくてもよい。例えば、あるｏｎ−ｄｕｒａｔｉｏｎと次のｏｎ−ｄｕｒａｔｉｏｎの間にＭｄｒｘｃｓｉ、Ｏｆｆｓｅｔｄｒｘｃｓｉから算出されるＣＳＩ／ＳＲＳ送信を行うタイミングが来る場合、当該次のｏｎ−ｄｕｒａｔｉｏｎでＣＳＩ／ＳＲＳ送信を行えばよい。つまり、当該ｏｎ−ｄｕｒａｔｉｏｎを、Ｍｄｒｘｃｓｉ、Ｏｆｆｓｅｔｄｒｘｃｓｉから算出されるＣＳＩ／ＳＲＳ送信を行うタイミングと見なしてもよい。尚、Ｍｄｒｘｃｓｉ、Ｏｆｆｓｅｔｄｒｘｃｓｉから算出されるＣＳＩ／ＳＲＳ送信を行うタイミングと、実際の送信タイミングには処理遅延を加味したｇａｐがあってもよい。例えば、Ｍｄｒｘｃｓｉ、Ｏｆｆｓｅｔｄｒｘｃｓｉから算出されるＣＳＩ／ＳＲＳ送信を行うタイミングが到来する場合、本タイミングのｋ［ｍｓ］以降に到来する送信タイミング（ｏｎ−ｄｕｒａｔｉｏｎ）にて送信が行われてもよい。
【００４２】
図６において、ｄｒｘ−ｉｎａｃｔｉｖｉｔｙＴｉｍｅｒが満了する前は、ユーザ装置ＵＥはＡｃｔｉｖｅ状態にあるから、ＲＲＣシグナリングで通知される周期（２０ｍｓ）に従ってＣＳＩ／ＳＲＳ送信を行う。
【００４３】
ｄｒｘ−ｉｎａｃｔｉｖｉｔｙＴｉｍｅｒが満了し、Ｓｈｏｒｔ−ＤＲＸ状態に入った後、ユーザ装置ＵＥは、Ｏｆｆｓｅｔｄｒｘｃｓｉに従って、Ａのタイミングのｏｎ  ｄｕｒａｔｉｏｎでＣＳＩ／ＳＲＳ送信を開始し、その後、３×２０＝６０ｍｓ周期のｏｎ  ｄｕｒａｔｉｏｎでＣＳＩ／ＳＲＳ送信を行う。
【００４４】
＜装置構成、処理フロー＞
図７に、本実施の形態におけるユーザ装置ＵＥの機能構成図を示す。図７に示すように、ユーザ装置ＵＥは、ＤＬ信号受信部１１、ＵＬ信号送信部１２、ＣＳＩ／ＳＲＳ送信制御部１３、ＤＲＸ制御部１４、設定情報格納部１５を備える。なお、図７は、ユーザ装置ＵＥにおいて本発明の実施の形態に特に関連する機能部のみを示すものであり、少なくともＬＴＥに準拠した動作を行うための図示しない機能も有するものである。
【００４５】
ＤＬ信号受信部１１は、基地局ｅＮＢから各種の下り信号を受信し、受信した物理レイヤの信号からより上位のレイヤの情報を取得する機能を含み、ＵＬ信号送信部１２は、ユーザ装置ＵＥから送信されるべき上位のレイヤの情報から、物理レイヤの各種信号を生成し、基地局ｅＮＢに対して送信する機能を含む。
【００４６】
設定情報格納部１５には、基地局ｅＮＢからシグナリングで通知された各種設定情報（Ｍｄｒｘｃｓｉ、Ｏｆｆｓｅｔｄｒｘｃｓｉ等を含む）が格納されている。ＣＳＩ／ＳＲＳ送信制御部１３は、ＣＳＩ／ＳＲＳ送信制御を行う機能部であり、特にＳｈｏｒｔ−ＤＲＸ時において本実施の形態で説明したようにＭｄｒｘｃｓｉ、Ｏｆｆｓｅｔｄｒｘｃｓｉ等に基づくタイミングでＣＳＩ／ＳＲＳ送信を行う。ＤＲＸ制御部１４は、設定情報に基づいて、ＤＲＸ制御を行う。例えば、Ｓｈｏｒｔ−ＤＲＸの設定情報があれば、当該設定情報に従って、Ｓｈｏｒｔ−ＤＲＸの動作を実施する。
【００４７】
図８に、第１及び第２の実施の形態における基地局ｅＮＢの機能構成図を示す。図８に示すように、基地局ｅＮＢは、ＤＬ信号送信部２１、ＵＬ信号受信部２２、ＵＥ状態管理部２３、設定情報送信制御部２４を有する。なお、図８は、基地局ｅＮＢにおいて本発明の実施の形態に特に関連する機能部のみを示すものであり、少なくともＬＴＥ方式に準拠した動作を行うための図示しない機能も有するものである。
【００４８】
ＤＬ信号送信部２１は、基地局ｅＮＢから送信されるべき上位のレイヤの情報から、物理レイヤの各種信号を生成し、ユーザ装置ＵＥ側に対して送信する機能を含む。ＵＬ信号受信部２２は、ユーザ装置ＵＥから各種の上り信号を受信し、受信した物理レイヤの信号からより上位のレイヤの情報を取得する機能を含む。
【００４９】
ＵＥ状態管理部２３は、接続している各ユーザ装置ＵＥ毎の状態を示す情報を保持するとともに、当該情報を更新する。状態を示す情報には、ユーザ装置ＵＥがＳｈｏｒｔ−ＤＲＸ状態に入ることを示す情報を含む。設定情報送信制御部２４は、ＵＥ状態管理部２３におけるユーザ装置ＵＥの現在の状態、及び、既にユーザ装置ＵＥに通知した設定情報等に基づいて、ユーザ装置ＵＥに通知すべき各種パラメータを決定し、通知を行う。当該パラメータとして、Ｍｄｒｘｃｓｉ、Ｏｆｆｓｅｔｄｒｘｃｓｉ等や、第２の実施の形態で説明する各タイマ（カウンタ）の値を含む。
【００５０】
次に、図９のフローチャートを参照して、ＣＳＩ／ＳＲＳ送信に係るユーザ装置ＵＥの動作例を説明する。下記の動作は、主に、ＤＲＸ制御部１４により実施されるＤＲＸ制御の状態に基づいて、ＣＳＩ／ＳＲＳ送信制御部１３により実行されるものである。また、図９の動作は例えば所定時間毎（例：サブフレーム毎）に周期的に行われる。
【００５１】
まず、ユーザ装置ＵＥは、現在の状態がＳｈｏｒｔ−ＤＲＸ状態か否かを判定し（ステップ１０１）、Ｓｈｏｒｔ−ＤＲＸ状態である場合にステップ１０２に進み、Ｏｆｆｓｅｔｄｒｘｃｓｉ等で規定されるオフセット期間内であるかどうかを判定する。
【００５２】
ステップ１０２でオフセット期間内でない場合、ステップ１０３に進み、ユーザ装置ＵＥは、現時点がｏｎ  ｄｕｒａｔｉｏｎであるか否かを判定し、ｏｎ  ｄｕｒａｔｉｏｎであればステップ１０４に進む。
【００５３】
ステップ１０４では、ユーザ装置ＵＥは、現時点がＭｄｒｘｃｓｉ等から算出されるＣＳＩ／ＳＲＳの送信タイミングであるか否かを判定する。なお、ＣＳＩ／ＳＲＳの送信タイミングであるとは、現時点のｏｎ  ｄｕｒａｔｉｏｎがＭｄｒｘｃｓｉ等から算出されるＣＳＩ／ＳＲＳの送信タイミングと一致する場合の他、前回のｏｎ  ｄｕｒａｔｉｏｎから今回のｏｎ  ｄｕｒａｔｉｏｎの間に、Ｍｄｒｘｃｓｉ等から算出されるＣＳＩ／ＳＲＳの送信タイミングが来る場合を含む。
【００５４】
ステップ１０４において、ＣＳＩ／ＳＲＳの送信タイミングである場合、ステップ１０５に進み、ユーザ装置ＵＥは、ＣＳＩ／ＳＲＳの送信を行う。
【００５５】
ステップ１０１、１０３、１０４でＮｏの場合、及びステップ１０２でＹｅｓの場合はいずれもその回の処理を終了する。
【００５６】
（第２の実施の形態）
＜処理内容＞
第２の実施の形態では、タイマを用いて制御を行う。本実施の形態では、タイマとして、ＣＳＩについてはＣＳＩ−Ｔｉｍｅｒ及びｎｏＣＳＩ−Ｔｉｍｅｒを使用し、ＳＲＳについてはＳＲＳ−Ｔｉｍｅｒ及びｎｏＳＲＳ−Ｔｉｍｅｒを使用する。これらを総称してＣＳＩ／ＳＲＳ−Ｔｉｍｅｒ、ｎｏＣＳＩ／ＳＲＳ−Ｔｉｍｅｒと記述する。また、ＣＳＩとＳＲＳに共通のタイマを使用してもよく、その場合もＣＳＩ／ＳＲＳ−Ｔｉｍｅｒ、ｎｏＣＳＩ／ＳＲＳ−Ｔｉｍｅｒと記述する。
【００５７】
ユーザ装置ＵＥには、ＲＲＣシグナリング等（もしくはより動的なシグナリング）により基地局ｅＮＢからＣＳＩ／ＳＲＳ−Ｔｉｍｅｒ、ｎｏＣＳＩ／ＳＲＳ−Ｔｉｍｅｒの値が通知され、設定情報格納部に保持されている。そして、ユーザ装置ＵＥは、Ｓｈｏｒｔ−ＤＲＸ開始と同時にＣＳＩ／ＳＲＳ−Ｔｉｍｅｒを起動し、本タイマ起動中はｏｎ  ｄｕｒａｔｉｏｎにてＣＳＩ／ＳＲＳ送信を行う。
【００５８】
ＣＳＩ／ＳＲＳ−ｔｉｍｅｒが満了すると、ユーザ装置ＵＥはｎｏＣＳＩ／ＳＲＳ−Ｔｉｍｅｒを起動し、本タイマ起動中は、ｏｎ  ｄｕｒａｔｉｏｎでもＣＳＩ／ＳＲＳ送信を行わない。また、ｎｏＣＳＩ／ＳＲＳ−Ｔｉｍｅｒが満了すると、ＣＳＩ／ＳＲＳ−ｔｉｍｅｒを起動する。そして、ｄｒｘ−ＩｎａｃｔｉｖｉｔｙＴｉｍｅｒ起動と共にＣＳＩ／ＳＲＳ−ｔｉｍｅｒ、ｎｏＣＳＩ／ＳＲＳ−ｔｉｍｅｒを停止する。
【００５９】
なお、上記の例では、「タイマ」を使用しているが、「カウンタ」を使用してもよい。両者は実質的に同じであり、所定の時間を計測するものであるから、これらをまとめて「タイマ」と呼んでもよい。
【００６０】
図１０に、本実施の形態における動作の具体例を示す。図１０の例でも図６の例と同様に、丸印は、ユーザ装置ＵＥに対してＲＲＣシグナリングで通知される周期に従ったＣＳＩ／ＳＲＳ送信タイミングを示している。また、Ｓｈｏｒｔ−ＤＲＸ期間において、ｏｎ  ｄｕｒａｔｉｏｎは、当該タイミングと同じである例を示している。本実施の形態においては、ＲＲＣシグナリングで通知される周期に従ったＣＳＩ／ＳＲＳ送信タイミングと、ｏｎ  ｄｕｒａｔｉｏｎにずれがある場合でも、ＣＳＩ／ＳＲＳ−Ｔｉｍｅｒ起動中のｏｎ  ｄｕｒａｔｉｏｎでＣＳＩ／ＳＲＳ送信を行う。
【００６１】
図１０において、Ａの時点で、ｄｒｘ−ｉｎａｃｔｉｖｉｔｙＴｉｍｅｒが満了し、Ｓｈｏｒｔ−ＤＲＸが開始されるとともに、ＣＳＩ／ＳＲＳ−ｔｉｍｅｒが起動する。ＣＳＩ／ＳＲＳ−ｔｉｍｅｒが起動中、Ｂで示すｏｎ  ｄｕｒａｔｉｏｎにてＣＳＩ／ＳＲＳ送信を行う。Ｃの時点でＣＳＩ／ＳＲＳ−ｔｉｍｅｒが満了するとともに、ｎｏＣＳＩ／ＳＲＳ−Ｔｉｍｅｒを起動する。ｎｏＣＳＩ／ＳＲＳ−Ｔｉｍｅｒが起動中は、ｏｎ  ｄｕｒａｔｉｏｎであってもＣＳＩ／ＳＲＳ送信を行わない。
【００６２】
そして、Ｄの時点でｎｏＣＳＩ／ＳＲＳ−Ｔｉｍｅｒが満了するとともに、ＣＳＩ／ＳＲＳ−ｔｉｍｅｒを起動する。ユーザ装置ＵＥは、ＣＳＩ／ＳＲＳ−ｔｉｍｅｒが起動中のＥのｏｎ  ｄｕｒａｔｉｏｎのタイミングで、ＣＳＩ／ＳＲＳ送信を行う。このような動作がＳｈｏｒｔ−ＤＲＸ期間において繰り返し行われる。この期間において、もしもユーザ装置ＵＥがデータ（割当て）があることを示すＰＤＣＣＨを受信した場合には、ｄｒｘ−ｉｎａｃｔｉｖｉｔｙＴｉｍｅｒが起動され、ＣＳＩ／ＳＲＳ−ｔｉｍｅｒ及びｎｏＣＳＩ／ＳＲＳ−Ｔｉｍｅｒを停止する。
【００６３】
例えば、各タイマの長さを予め数種類規定しておき、基地局ｅＮＢは、ＲＲＣで通知した現状のＣＳＩ／ＳＲＳ送信周期に応じてタイマを決定し、ユーザ装置ＵＥに通知する。例えば、現状のＣＳＩ／ＳＲＳ送信周期の所定数倍の長さのタイマをｎｏＣＳＩ／ＳＲＳ−Ｔｉｍｅｒとし、それよりも短い時間のタイマをＣＳＩ／ＳＲＳ−Ｔｉｍｅｒとして決定することができる。また、第１の実施の形態と同様に、Ｓｈｏｒｔ−ＤＲＸ開始後に、ＣＳＩ／ＳＲＳ−ｔｉｍｅｒを開始するまでの時間を示すオフセット値を通知してもよい。この場合、例えば、Ｓｈｏｒｔ−ＤＲＸ開始後にＣＳＩ／ＳＲＳ−ｔｉｍｅｒを開始するまでは、ＣＳＩ／ＳＲＳ送信を行わない。
【００６４】
＜装置構成、処理フロー＞
図１１に、本実施の形態におけるユーザ装置ＵＥの機能構成図を示す。図１１に示すように、ユーザ装置ＵＥは、ＤＬ信号受信部３１、ＵＬ信号送信部３２、ＣＳＩ／ＳＲＳ送信制御部３３、ＤＲＸ制御部３４、設定情報格納部３５、タイマ管理部３６を備える。なお、図１１は、ユーザ装置ＵＥにおいて本実施の形態に特に関連する機能部のみを示すものであり、少なくともＬＴＥに準拠した動作を行うための図示しない機能も有するものである。
【００６５】
ＤＬ信号受信部３１は、基地局ｅＮＢから各種の下り信号を受信し、受信した物理レイヤの信号からより上位のレイヤの情報を取得する機能を含み、ＵＬ信号送信部３２は、ユーザ装置ＵＥから送信されるべき上位のレイヤの情報から、物理レイヤの各種信号を生成し、基地局ｅＮＢに対して送信する機能を含む。
【００６６】
設定情報格納部３５には、基地局ｅＮＢからシグナリングで通知された各種設定情報（ＣＳＩ／ＳＲＳ−Ｔｉｍｅｒの値、ｎｏＣＳＩ／ＳＲＳ−Ｔｉｍｅｒの値等を含む）が格納されている。ＣＳＩ／ＳＲＳ送信制御部３３は、ＣＳＩ／ＳＲＳ送信制御を行う機能部であり、特にＳｈｏｒｔ−ＤＲＸ時において本実施の形態で説明したようにＣＳＩ／ＳＲＳ−Ｔｉｍｅｒ、ｎｏＣＳＩ／ＳＲＳ−Ｔｉｍｅｒ等に基づくタイミングでＣＳＩ／ＳＲＳ送信を行う。ＤＲＸ制御部３４は、設定情報に基づいて、ＤＲＸ制御を行う。例えば、Ｓｈｏｒｔ−ＤＲＸの設定情報があれば、当該設定情報に従って、Ｓｈｏｒｔ−ＤＲＸの動作を実施する。
【００６７】
タイマ管理部３６は、ＣＳＩ／ＳＲＳ−Ｔｉｍｅｒ、ｎｏＣＳＩ／ＳＲＳ−Ｔｉｍｅｒ等のタイマの開始、終了を管理する。例えば、タイマ管理部３６は、ＣＳＩ／ＳＲＳ送信制御部３３又はＤＲＸ制御部３４からの指示によりＣＳＩ／ＳＲＳ−Ｔｉｍｅｒ／ｎｏＣＳＩ／ＳＲＳ−Ｔｉｍｅｒを開始させる。
【００６８】
次に、図１２のフローチャートを参照して、第２の実施の形態におけるＣＳＩ／ＳＲＳ送信に係るユーザ装置ＵＥの動作例を説明する。下記の動作は、主に、ＤＲＸ制御部３４によるＤＲＸ制御、及びタイマ管理部３６によるタイマ動作に基づき、ＣＳＩ／ＳＲＳ送信制御部３３により実行されるものである。また、図１２の処理は例えば所定時間毎（例：サブフレーム毎）に周期的に行われる。
【００６９】
まず、ユーザ装置ＵＥは、現在の状態がＳｈｏｒｔ−ＤＲＸ状態か否かを判定し（ステップ２０１）、Ｓｈｏｒｔ−ＤＲＸ状態である場合にステップ２０２に進み、現時点がｏｎ  ｄｕｒａｔｉｏｎであるか否かを判定する。ｏｎ  ｄｕｒａｔｉｏｎであればステップ２０３に進む。
【００７０】
ステップ２０３では、ユーザ装置ＵＥは、タイマ管理部３６を参照することにより、現時点において、ＣＳＩ／ＳＲＳ  Ｔｉｍｅｒが起動中であるかどうかを判定する。起動中である場合、ステップ２０４に進み、ユーザ装置ＵＥは、ＣＳＩ／ＳＲＳの送信を行う。ステップ２０１、２０２、２０３でＮｏの場合はいずれもその回の処理を終了する。
【００７１】
（実施の形態のまとめ、効果等）
以上、説明したように、本実施の形態では、基地局から送信される信号を間欠的に受信するための間欠受信制御を行うユーザ装置であって、前記基地局から、所定の間欠受信周期での間欠受信時における制御信号の送信周期を指定する情報を受信する受信部と、前記所定の間欠受信周期での間欠受信時に、前記送信周期を指定する情報に基づいて、前記間欠受信周期よりも長い周期で、前記制御信号を間欠受信におけるアクティブ期間（ｏｎ  ｄｕｒａｔｉｏｎ）に送信する送信制御部とを備えるユーザ装置が提供される。当該ユーザ装置によれば、ユーザ装置が間欠受信状態にある場合において、適切な周期でＣＳＩ／ＳＲＳ等の制御信号の送信を行うことが可能となる。適切な周期とは、例えば、バッテリーセービングに効果のある周期である。
【００７２】
前記送信周期を指定する情報は、例えば、前記間欠受信時における前記制御信号の送信周期を、前記間欠受信時ではない期間における前記制御信号の送信周期の何倍にするかを示す情報である。このように、送信周期そのものでなく、何倍にするかを示す情報を通知することで、通知する情報量を削減できる。
【００７３】
前記受信部は、前記送信周期を指定する情報に基づく送信周期にて前記制御信号の送信を開始するタイミングを示す情報（例：オフセット値）を受信し、前記送信制御部は、当該タイミングを示す情報に基づいて、前記間欠受信時に前記制御信号の送信を開始するように構成してもよい。このように、制御信号の送信を開始するタイミングを示す情報を通知するしくみを備えることで、例えば、基地局ｅＮＢは、開始タイミングを複数ユーザ装置ＵＥ間で分散させることができ、他セルへのＵＬ干渉を低減することができる。
【００７４】
また、本実施の形態では、基地局から送信される信号を間欠的に受信するための間欠受信制御を行うユーザ装置であって、前記基地局から、所定の間欠受信周期での間欠受信時における制御信号の送信可能期間を示す送信可能期間情報（例：ＣＳＩ／ＳＲＳ−Ｔｉｍｅｒの値）と、前記間欠受信時における前記制御信号の送信不可期間を示す送信不可期間情報（例：ｎｏＣＳＩ／ＳＲＳ−Ｔｉｍｅｒの値）を受信する受信部と、前記送信期間情報及び前記送信不可期間情報に基づいて、前記所定の間欠受信周期での間欠受信時に、前記送信可能期間を開始させ、当該送信可能期間中のアクティブ期間に前記制御信号を送信し、前記送信可能期間終了後に開始させる前記送信不可期間において、アクティブ期間であっても前記制御信号を送信しないようにする制御を繰り返し行う送信制御部とを備えるユーザ装置が提供される。当該ユーザ装置によれば、ユーザ装置が間欠受信状態にある場合において、適切な周期でＣＳＩ／ＳＲＳ等の制御信号の送信を行うことが可能となる。適切な周期とは、例えば、バッテリーセービングに効果のある周期である。
【００７５】
前記制御信号は、例えばチャネル状態情報又はサウンディングリファレンスシンボルであるが、これらに限定されない。また、前記所定の間欠受信周期は、例えばＬＴＥにおけるＳｈｏｒｔ−ＤＲＸの間欠受信周期であるが、これに限定されるわけではない。
【００７６】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局装置は機能的なブロック図を用いて説明されたが、そのような装置はハードウェアで、ソフトウェアで又はそれらの組み合わせで実現されてもよい。本発明の実施の形態で説明した処理に対応する動作を実行するソフトウェア（ユーザ装置ＵＥ、基地局ｅＮＢ等の装置が有するプロセッサで実行される）は、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００７７】
ＵＥ  ユーザ装置
ｅＮＢ  基地局
１１、３１  ＤＬ信号受信部
１２、３２  ＵＬ信号送信部
１３、３３  ＣＳＩ／ＳＲＳ送信制御部
１４、３４  ＤＲＸ制御部
１５、３５  設定情報格納部
３６  タイマ管理部
２１  ＤＬ信号送信部
２２  ＵＬ信号受信部
２３  ＵＥ状態管理部
２４  設定情報送信制御部
【図１】
2015122578.tif 000003
【図２】
2015122578.tif 000004
【図３】
2015122578.tif 000005
【図４】
2015122578.tif 000006
【図５】
2015122578.tif 000007
【図６】
2015122578.tif 000008
【図７】
2015122578.tif 000009
【図８】
2015122578.tif 000010
【図９】
2015122578.tif 000011
【図１０】
2015122578.tif 000012
【図１１】
2015122578.tif 000013
【図１２】
2015122578.tif 000014